(57)【要約】【課題】表示される広告へのアクセスによる利益を使用者カードに提供する。【解決手段】広告のコンテンツを表示するデジタル情報ディスプレイ装置において、サーバから広告コンテンツを受信するための送受信部；前記送受信部を介して受信された広告コンテンツと消費者情報とを一時的に記憶するメモリ部；前記広告を表示するためのディスプレイ部；使用者カードの情報を確認し、前記使用者カードに所定の利益を提供するＲＦＩＤモジュール；これらの制御をするマイクロコンピュータ；を含む。【選択図】図１
2012098730.tif 000002
【特許請求の範囲】
【請求項１】
公共交通手段の所定の空間に設置されて広告のコンテンツを表示するためのデジタル情報ディスプレイ装置において、
プロモーション広告運営サーバから広告コンテンツのファイルを受信するための有線／無線送受信部；
前記有線／無線送受信部を介して受信された広告コンテンツと消費者情報とを一時的に記憶するためのメモリ部；
前記広告を表示するためのディスプレイ部；
使用者カードからサービスに参加する消費者の情報を確認し、前記使用者カードに所定の利益を提供するためのＲＦＩＤモジュール；及び
リアルタイムで前記有線／無線送受信部を介して広告コンテンツファイルを受信し、前記使用者カードから消費者の情報を取得し、前記プロモーション広告運営サーバに伝送し、前記使用者カードの認証信号を受信し、前記広告へのアクセスに対する所定の利益を前記ＲＦＩＤモジュールを介して前記使用者カードに伝送するように制御するマイクロコンピュータ；を含むことを特徴とするデジタル情報ディスプレイ装置。
【請求項２】
消費者がアクセスしようとする広告を選択するためのタッチスクリーンモジュールをさらに含むことを特徴とする請求項１に記載のデジタル情報ディスプレイ装置。
【請求項３】
前記ディスプレイ部の一つの側部に、文字を表示するための第２ディスプレイ部をさらに含むことを特徴とする請求項１に記載のデジタル情報ディスプレイ装置。
【請求項４】
前記第２ディスプレイ部は、液晶表示装置及び発光ダイオードパネルのいずれか一つで構成されることを特徴とする請求項３に記載のデジタル情報ディスプレイ装置。
【請求項５】
前記ディスプレイ部は、三次元画像表示パネル及び二次元画像表示パネルの少なくとも一つ以上で構成されることを特徴とする請求項１に記載のデジタル情報ディスプレイ装置。
【請求項６】
前記ディスプレイ部は、前記ＲＦＩＤモジュールに使用者カードが容易に認識されるように、薄型のパネルで構成されることを特徴とする請求項１に記載のデジタル情報ディスプレイ装置。
【請求項７】
前記ＲＦＩＤモジュールは、広告のコンテンツ中に表示される使用者カード接触位置に対応する位置に配置されることを特徴とする請求項１に記載のデジタル情報ディスプレイ装置。
【発明の詳細な説明】
【技術分野】
【０００１】
本発明はＲＦＩＤ（Ｒａｄｉｏ−Ｆｒｅｑｕｅｎｃｙ  ＩＤｅｎｔｉｆｉｃａｔｉｏｎ）を用いたデジタル情報ディスプレイ装置に係り、より詳しくは、地下鉄、列車及びバスなどの公共交通手段に設置され、プロモーション広告運営サーバから三次元（３Ｄ）または二次元（２Ｄ）の広告コンテンツを受信して表示し、該当の広告による利益をＲＦＩＤモジュールを介して使用者のカードに提供するための、ＲＦＩＤを用いたデジタル情報ディスプレイ装置に関する。
【背景技術】
【０００２】
地下鉄、バス、タクシー及び列車は代表的な公共交通手段として定着しているため、人々の移動量が多い公共交通手段を用いた広告は非常に効果的である。
【０００３】
特に、韓国では地下鉄を用いる人口が一日４００万名に達しているので、地下鉄内の広告方法が多様になり、それによる広告市場も非常に広い。
【０００４】
そのため、地下鉄駅の構内に多様な広告が掲示されており、地下鉄のドアの内側上部及び壁面、窓などに静止画像を現す広告を貼り付けて掲示しているし、近年には地下鉄の中央天井にＬＣＤをぶら下げるか、あるいはドアの上部にＣＲＴまたはＬＣＤを用いたＴＶを設置して動画広告を行っている。
【０００５】
そして、バスにおいては、左右窓の上側空間の所定のフレームに広告が差し込まれて表示され、前記バス、タクシー及び列車の場合、座席の背もたれの背面に広告を貼り付けている。
【０００６】
しかし、このような広告は一方向の広告で、一時的に人々の目をひくことはできるが、使用者が積極的または能動的に広告を視聴するのには限界がある。
【０００７】
さらに、多様なイベントまたは利益を提供するという、広告内容を視聴してもメモをせず記憶しない場合は、時間が経つにつれて忘却するため、効果的な広告をすることは難しい。
【発明の概要】
【発明が解決しようとする課題】
【０００８】
前述した問題点を解決するため、本発明の目的は、プロモーション広告運営サーバから受信した３Ｄまたは２Ｄの広告コンテンツを表示して広告をし、広告へのアクセスによる利益を使用者のカードに提供するためのＲＦＩＤを用いたデジタル情報ディスプレイ装置を提供することにある。
【課題を解決するための手段】
【０００９】
前記のような本発明の目的は、公共交通手段の所定の空間に設置されて広告のコンテンツを表示するためのデジタル情報ディスプレイ装置において、プロモーション広告運営サーバから広告コンテンツファイルを受信するための有線／無線送受信部；前記有線／無線送受信部を介して受信された広告コンテンツと消費者情報とを一時的に記憶するためのメモリ部；前記広告を表示するためのディスプレイ部；前記広告のうち使用者カードからサービスに参加する消費者の情報を確認し、前記使用者カードに所定の利益を提供するためのＲＦＩＤモジュール；及びリアルタイムで前記有線／無線送受信部を介して広告コンテンツファイルを受信し、前記使用者カードから消費者の情報を取得し、前記プロモーション広告運営サーバに伝送し、前記使用者カードの認証信号を受信し、前記広告へのアクセスに対する所定の利益を前記ＲＦＩＤモジュールを介して前記使用者カードに伝送するように制御するマイクロコンピュータ；を含むことを特徴とするデジタル情報ディスプレイ装置によって達成される。
【００１０】
本発明は、消費者がアクセスしようとする広告を選択するためのタッチスクリーンモジュールをさらに含んでもよい。
【００１１】
本発明によれば、前記ディスプレイ部の一つの側部に、文字を表示するための第２ディスプレイ部をさらに含んでもよい。
【００１２】
本発明によれば、前記第２ディスプレイ部は、液晶表示装置及び発光ダイオードパネルのいずれか一つで構成してもよい。
【００１３】
本発明によれば、前記ディスプレイ部は、三次元画像表示パネル及び二次元画像表示パネルのいずれか一つ以上で構成してもよい。
【００１４】
本発明によれば、前記ディスプレイ部は、前記ＲＦＩＤモジュールに使用者カードが容易に認識されるように、薄型のパネルで構成してもよい。
【００１５】
本発明によれば、前記ＲＦＩＤモジュールは、広告のコンテンツ中に表示される使用者カード接触位置に対応するする位置に配置するとよい。
【発明の効果】
【００１６】
本発明のＲＦＩＤを用いたデジタル情報ディスプレイによれば、デジタル情報ディスプレイを大勢の人々が用いる公共交通手段の所定の空間に設置して３Ｄまたは２Ｄの広告を表示するとともに、広告へのアクセスによる利益をＲＦＩＤを用いて使用者カードに付与することで、広告への積極的で能動的なアクセスを促す効果がある。
【図面の簡単な説明】
【００１７】
【図１】本発明の実施形態によるデジタル情報ディスプレイの構成を示すブロック図である。
【図２】本発明の実施形態によるデジタル情報ディスプレイの構成を示す斜視図である。
【図３】本発明の実施形態によるワイド形態の３Ｄ及び２Ｄ分割型デジタル情報ディスプレイを示す図である。
【図４】本発明の実施形態によるテキスト専用ディスプレイパネルを含むデジタル情報ディスプレイを示す図である。
【図５】本発明の実施例による使用者命令入力の可能なタッチスクリーンパネルを含むデジタル情報ディスプレイを示す図である。
【発明を実施するための形態】
【００１８】
本明細書及び請求範囲に使用された用語や単語は辞書的な通常の意味に限定して解釈してはならず、発明者は自分の発明を最良の方法で説明するために用語の概念を適切に定義するという原則に従って、本発明の技術的思想に合う意味と概念に解釈されなければならない。
【００１９】
したがって、本明細書に記載された実施例と図面に示された構成は本発明の最も好適な一実施例に過ぎず、本発明の技術的思想を全て示すものではないので、本願の出願時において置換することができる多様な均等物と変形例があり得ることが容易に理解されるべきである。
【００２０】
本発明によるプロモーション広告サービスを提供するためのＲＦＩＤを用いたデジタル情報ディスプレイ装置１００は、地下鉄、バス、列車、タクシーなどの公共交通手段の所定の位置に設置されて広告を実施し、ＲＦＩＤモジュール１３０を介して使用者カード１に（すなわち、利用者に）多様な利益を提供するための装置である。
【００２１】
前記デジタル情報ディスプレイ装置１００には、提携会社の使用者カード１を活用することができ、前記デジタル情報ディスプレイ装置１００を運営する会社が発行する使用者カード１にも適用可能である。
【００２２】
言い換えれば、本発明は、消費者が使用者カード１を用いてデジタル情報ディスプレイ装置１００のＲＦＩＤモジュール１３０に使用者カード１を認識させることで、商品券、割引券、景品等の利益を含むクーポンの配布を無料で受け取って、蓄積することができ、消費者が受け取り、蓄積されたクーポンは電子クーポンとして運用され、広告主が提供する商品を購入するために使うことができる。
【００２３】
広告主は、デジタル情報ディスプレイ装置１００を介して広告とクーポン配布サービスを実施することで、広告露出度、クーポンを受け取った人数、性別、年齢層、日毎の利用率、時間帯毎の利用率、場所別の利用率、クーポン使用日、購入品目による売上げの現状など、広告及びクーポン配布サービスの実施からクーポンの使用に至るまでの消費者の行動及び消費パターンの分析が可能であり、消費者に関するデータを収集することによって、広告の実施による効果の測定が可能である。それだけでなく、これに基づいて、今後進行する広告及びセールスプロモーションの実施による戦略と方向を設定して広告対象に合う、すなわち消費者のトレンドに合う広告とセールスプロモーションの実施が可能である。
【００２４】
そして、提携会社及びサービス提供会社は、デジタル情報ディスプレイ装置１００によって消費者に無償でクーポンを提供することができる。使用者が、デジタル情報ディスプレイ装置１００によってクーポンの配布とクーポンの使用のために、自社のユーザカードを使うことで、これによる新規たな収益を提供することができるだけでなく、カードの使用による売上げ、消費者行動及び消費パターンの分析などのデータを収集して、今後の消費者に対する多様なマーケティング活動の実施に役立てることができる。
【００２５】
デジタル情報ディスプレイ装置１００を活用した広告統合サービス及び製品購入に対する割引の利益を受けるためには、まず消費者が提携会社またはサービス運営会社が提供する使用者カード１を保有しなければならない。この使用者カード１を保有した消費者は、最初に広告サービスを用いる場合に、追加の申込手続きをすることなく、提携会社及び加盟店に設置されたデジタル情報ディスプレイ装置１００に備わるＲＦＩＤモジュール１３０に自分が保有している使用者カード１を認識させることだけで、サービスを利用するための入会手続きとクーポンの配布が完了する。その後、継続的なサービスを受けることができるので、本サービスを用いるための申込手続きなどの不便さを解消することができる。さらに、消費者に配布され、蓄積されたクーポンは印刷物による現物のクーポンではなく、コンピュータ上で提供される電子クーポンであり、紛失及び破損の危険がないだけでなく、使うためにクーポンを携帯する必要がなく、該当するウェブサイトにインターネットを介して接続して、消費者が蓄積し使用したクーポンの内訳を確認することができる。
【００２６】
前記のようなデジタル情報ディスプレイ装置１００によって広告運営及び商品購入時の利益を適用し、広告の効果を高めるために、以下に、本発明の実施形態によるＲＦＩＤを用いたデジタル情報ディスプレイ装置を添付図面に基づいて詳細に説明する。
【００２７】
図１は本発明の実施形態によるデジタル情報ディスプレイ装置の構成を示すブロック図である。
【００２８】
図１に示すように、本発明の実施形態によるデジタル情報ディスプレイ装置１００は、プロモーション広告運営サーバ１０から広告コンテンツファイルを受信するための有線／無線送受信部１２０と、前記有線／無線送受信部１２０を介して受信された広告コンテンツと消費者情報とを一時的に記憶するためのメモリ部１４０と、前記広告を表示するためのディスプレイ部１１０と、前記広告のうち、使用者カード１からサービスに参加する消費者の情報を確認し、前記使用者カード１に所定の利益を提供するためのＲＦＩＤモジュール１３０と、リアルタイムで前記有線／無線送受信部１２０を介してプロモーション広告コンテンツファイルを受信し、消費者情報を前記使用者カード１から前記プロモーション広告運営サーバ１０に伝送し、認証信号を受信して広告にアクセスしたことに対する所定の利益を、前記ＲＦＩＤモジュール１３０を介して前記使用者カード１に伝送するように制御するマイクロコンピュータ（ＭＩＣＯＭ）１５０とを含んでなる。
【００２９】
前記プロモーション広告運営サーバ１０は、サービス提供会社の運営サーバで、地下鉄、バス、タクシー、列車などに設置されたデジタル情報ディスプレイ装置１００に三次元（３Ｄ）または二次元（２Ｄ）の広告コンテンツを提供し、リアルタイムで遠隔から広告の表示を管理する。
【００３０】
また、前記プロモーション広告運営サーバ１０は会員データベースを含み、会員情報の確認と会員の認証の業務を実施し、広告へアクセスする参加者の使用者カード１に多様な利益を蓄積する。
【００３１】
前記デジタル情報ディスプレイ装置１００は前記プロモーション広告運営サーバ１０に対してインターネットを介してデータの送受信が可能であり、前記デジタル情報ディスプレイ装置１００へのデータの送信を個別に制御できる。
【００３２】
前記ディスプレイ部１１０は、３Ｄまたは２Ｄの表示パネルを適用することができ、使用者カード１を内蔵したＲＦＩＤモジュール１３０に確実に認識されるように、スリムな形態で構成されることが好ましい。
【００３３】
前記３Ｄまたは２Ｄの表示パネルが実装されるかによって、三次元または二次元の広告コンテンツを表示する。
【００３４】
前記有線／無線送受信部１２０は、有線／無線ＬＡＮ、Ｗｉｆｉ、Ｗｉｂｒｏ、Ｚｉｇｂｅｅが活用でき、Ｚｉｇｂｅｅモデムが設置される場合には、デジタル情報ディスプレイ装置１００が設置される空間に、インターネットを介してデータを送受信することができる共有の基地局（ＡＰ）が設置されることが好ましい。
【００３５】
前記有線／無線送受信部１２０を介して広告コンテンツが受信され、また、使用者の情報を送信し、及び、様々な利益の情報を受信する。
【００３６】
前記メモリ部１４０は、受信した広告コンテンツ、使用者情報、及び、マイクロコンピュータ１５０が実行するソフトウェアを記憶する。
【００３７】
前記ＲＦＩＤモジュール１３０は、使用者カード１と通信し、使用者カード１から情報を読み込み、広告へのアクセスによる利益を前記使用者カード１に蓄積するように情報を伝達するための手段で、コンテンツ画像に表示されるカード接触部に対応する位置（例えば、カード接触部の表示の裏側）の背面ケース１６０の内部に設置されることが好ましい。
【００３８】
このカード接触部の画像は、プロモーション広告運営サーバ１０から送信される画像に含まれてもよく、プロモーション広告運営サーバ１０から送信される画像に重畳して、固定的な位置に表示されるように制御してもよい。また、ＲＦＩＤモジュール１３０が、使用者カード１と通信可能な（すなわち、使用者カード１に所定の利益を提供できる）タイミングのみに表示されるように制御してもよい。
【００３９】
前記マイクロコンピュータ（ＭＩＣＯＭ）１５０は、広告及びクーポン等の利益を提供するデジタル情報ディスプレイ装置１００のすべての動作を制御し、一連の動作を遂行するように処理する。
【００４０】
図２は本発明の実施例によるデジタル情報ディスプレイの構成を示す斜視図である。
【００４１】
図２に示すように、本発明によるデジタル情報ディスプレイ装置１００は、前記有線／無線送受信部１２０、ＲＦＩＤモジュール１３０、メモリ部１４０及びマイクロコンピュータ１５０を含むメーンボード（図示せず）を内蔵するための背面ケース１６０の前面に、プロモーション広告コンテンツを再生するためのディスプレイ部１１０、つまりディスプレイパネルが装着され、固定される。
【００４２】
前記ディスプレイ部１１０の前面は、安全のために強化ガラスまたは強化アクリルで構成された保護層１０１が形成されることが好ましい。
【００４３】
前記ＲＦＩＤモジュール１３０は、図２に示すように、表示されるコンテンツのカード接触位置に対応する位置に設置される。
【００４４】
図３は本発明の実施形態によるワイド型の３Ｄ及び２Ｄの分割型デジタル情報ディスプレイを示す図である。
【００４５】
図３に示すように、ディスプレイ部１１０を２分割して、３Ｄディスプレイ部１１０ａと２Ｄディスプレイ部１１０ｂに分けて、広告をすることができる。
【００４６】
図４は本発明の実施形態による文字専用ディスプレイパネルを含むデジタル情報ディスプレイを示す図である。
【００４７】
図４に示すように、ディスプレイ部１１０とは別に第２ディスプレイ部１１５が構成される。前記第２ディスプレイ部１１５は文字を表示する専用のもので、ＬＣＤまたはＬＥＤパネルで構成され、プログラミングされた信号に応じて文字を表示する。
【００４８】
図５は本発明の実施形態による使用者の命令入力が可能なタッチスクリーンパネルを含むデジタル情報ディスプレイを示す図である。
【００４９】
図５に示すように、メモリ部１４０に一つ以上の広告コンテンツが記憶されて順次表示される場合、使用者が望むコンテンツを選択して広告にアクセスして利益を蓄積することができるように、数字キーパッドが備えられたタッチスクリーンモジュール１７０をさらに有することができる。
【００５０】
前記のように、本発明によるデジタル情報ディスプレイ装置１００は、既存の公共交通手段に備えられた紙面広告を取り替えることができるディスプレイ装置で、プロモーション広告運営サーバ１０から受信した３Ｄまたは２Ｄ広告コンテンツを再生し、広告に関連する利益をＲＦＩＤモジュール１３０を介して提供することにより、より能動的で積極的な広告へのアクセスを誘導することができる効果がある。
【００５１】
以上、本発明について好適な実施形態に基づいて説明したが、本発明は前述した実施形態に限定されず、本発明の思想を逸脱しない範疇で、本発明が属する技術分野で通常の知識を有する者によって本発明の技術思想と、以後に記載する特許請求の範囲内で多様な置換及び変形が可能であるのは言うまでもない。
【産業上の利用可能性】
【００５２】
本発明は、地下鉄、列車及びバスなどの公共交通手段に設置され、プロモーション広告運営サーバから３Ｄまたは２Ｄ広告コンテンツを受信して表示し、該当の広告による利益を使用者カードにＲＦＩＤモジュールを介して提供するためのＲＦＩＤを用いたデジタル情報ディスプレイに適用可能である。
【符号の説明】
【００５３】
１    使用者カード
１０    プロモーション広告運営サーバ
１００    デジタル情報ディスプレイ装置（ＤＩＤ）
１０１    保護層
１１０    ディスプレイ部
１１０ａ    ３Ｄディスプレイ部
１１０ｂ    ２Ｄディスプレイ部
１１５    第２ディスプレイ部
１２０    有線／無線送受信部
１３０    ＲＦＩＤモジュール
１４０    メモリモジュール
１５０    マイクロコンピュータ（ＭＩＣＯＭ）
１６０    保護ケース
１７０    タッチスクリーンモジュール
【図１】
2012098730.tif 000003
【図２】
2012098730.tif 000004
【図３】
2012098730.tif 000005
【図４】
2012098730.tif 000006
【図５】
2012098730.tif 000007